(57)【要約】【課題】体育館などの大きなスペースを複数に仕切って、被災者の生活空間を確保する間仕切において、間仕切を構成する高く大きな壁材が自立する力を得る。【解決手段】床材５の辺部に形成される立ち上り部１９を立ち上がらせ、壁材７の折り畳み可能な部位９を床材５の隅部２５に位置させ、よって壁材７は、床材５の隅部２５で連続して配置されマジックテープ（登録商標）４１によって立ち上り部１９への接合が行われる。また、壁材７は、直線部１５において折り畳み可能な部位９を有するので、コンパクトに折り畳んで倉庫などに収納できる。また、折り畳み可能な部位９の上端にコの字形の断面を有する固定具２９を嵌合して固定をおこない、より高い強度を有する。床材５と前記壁材７は各々、コンパクトに折り畳んだ状態で、床側マジックテープ２１（登録商標）を利用して互いに接合する。【選択図】図1
2006161536.tif 000002
【特許請求の範囲】
【請求項１】
床材の辺部に折り曲げ可能に形成される立ち上り部と、この立ち上り部に設けられた床側マジックテープ（登録商標）と、壁材の下端部に設けられ前記床側マジックテープ（登録商標）と接合する壁側マジックテープ（登録商標）と、床材の隅部に折り畳み可能な部位を位置させることで前記隅部で連続して配置され前記接合が行われる壁材と、を有することを特徴とする間仕切。
【請求項２】
前記壁材は、直線部において1箇所、または複数の箇所で折り畳み可能な部位を有し、この部位の上端にコの字形の断面を有する固定具を嵌合して固定をおこなうことを特徴とする請求項1記載の間仕切。
【請求項３】
前記床材と前記壁材は各々、1箇所、または山折と谷折を交互に配置した複数の箇所で折り畳み可能な部位を有し、前記床側マジックテープ（登録商標）はこの折り畳みにより互いに接合する位置に雄側と雌側が配置されることを特徴とする請求項1、又は２に記載の間仕切。
【請求項４】
前記床材又は／及び前記壁材は、段ボールプラスティック製であることを特徴とする請求項1、２、又は３に記載の間仕切。
【請求項５】
複数の完成した間仕切が隣接され、隣接して重なった前記壁材の上端にコの字形の断面を有する固定具を嵌合して固定をおこなうことを特徴とする請求項1、２、３、又は４に記載の間仕切。
【請求項６】
前記壁材は、水平周方向の長さが複数に分割され、この分割部分がオーバーラップしてマジックテープ（登録商標）により連結されることを特徴とする請求項1、２、３、４、又は５に記載の間仕切。
【請求項７】
前記分割された壁材は、各々が同じ寸法と構造を有し、連結されることで異なる寸法の床材に対応することを特徴とする請求項６に記載の間仕切。
【請求項８】
前記分割された壁材の寸法と構造は、Ｎを整数とし２Ｎ個を連結してＮ人用の床材に対応するもので、水平方向に、複数の箇所の折り畳み可能な部位で区切られる等幅部分と、一端部の連結幅部分と、を有することを特徴とする請求項７に記載の間仕切。
【発明の詳細な説明】
【技術分野】
【０００１】
この発明は、学校の体育館などの大きなスペースを水平方向に複数に仕切って、被災者などの生活空間を確保するための間仕切の構造に関する。
【背景技術】
【０００２】
公共施設に非難することになる。しかし、体育館などの大きな一つのスペースで多数の家族が長い間生活するのは、プライバシーが保たれず、被災者に精神的苦痛などのストレスを与えてしまう。そこで、大きなスペースを水平方向に複数に仕切って、被災者などの生活空間を確保するために間仕切が必要になる。
【０００３】
従来の間仕切は、図９に示すついたて様のものや、下記の特許文献に記載されるものが開示されている。このうち特許文献１には、避難所の仕切りセットとして、床パネルと間仕切パネルが簡単なはめ込み式の金具で連結される技術が開示されている。特許文献２には間仕切装置として折りたたみパネルを用いる技術が開示されている。
【特許文献１】特開9-228667
【特許文献２】特開2003-213821
【発明の開示】
【発明が解決しようとする課題】
【０００４】
しかしながら、特許文献１の技術は、壁材の自立は、床材との間に設けられるはめ込み式の金具によるものであり、壁材が高く大きくなると自立する力が不十分である。このため、被災者が座った高さ程度の壁材に限られる。
また、特許文献２の技術は、壁材が固定壁に設けられたものであり、体育館の内部中央のように周囲に固定壁の無い大きなスペースでは、自立できず、使用できない。
この発明は、以上の問題点を解決するために、固定壁が無くても、高く大きな壁材が十分に自立する力を得られる間仕切を提供することを目的とする。
【課題を解決するための手段】
【０００５】
以上の課題を解決するために、第一発明は、床材の辺部に折り曲げ可能に形成される立ち上り部と、この立ち上り部に設けられた床側マジックテープ（登録商標）と、壁材の下端部に設けられ前記床側マジックテープ（登録商標）と接合する壁側マジックテープ（登録商標）と、床材の隅部に折り畳み可能な部位を位置させることで前記隅部で連続して配置され前記接合が行われる壁材と、を有することを特徴とする間仕切である。
第二発明は、前記壁材は、直線部において1箇所、または複数の箇所で折り畳み可能な部位を有し、この部位の上端にコの字形の断面を有する固定具を嵌合して固定をおこなうことを特徴とする間仕切である。
第三発明は、前記床材と前記壁材は各々、1箇所、または山折と谷折を交互に配置した複数の箇所で折り畳み可能な部位を有し、前記床側マジックテープ（登録商標）はこの折り畳みにより互いに接合する位置に雄側と雌側が配置されることを特徴とする間仕切である。
第四発明は、前記床材又は／及び前記壁材は、段ボールプラスティック製であることを特徴とする間仕切である。
第五発明は、複数の完成した間仕切が隣接され、隣接して重なった前記壁材の上端にコの字形の断面を有する固定具を嵌合して固定をおこなうことを特徴とする間仕切である。
第六発明は、前記壁材は、水平周方向の長さが複数に分割され、この分割部分がオーバーラップしてマジックテープ（登録商標）により連結されることを特徴とする間仕切である。
第七発明は、前記分割された壁材は、各々が同じ寸法と構造を有し、連結されることで異なる寸法の床材に対応することを特徴とする間仕切である。
第八発明は、前記分割された壁材の寸法と構造は、Ｎを整数とし２Ｎ個を連結してＮ人用の床材に対応するもので、水平方向に、複数の箇所の折り畳み可能な部位で区切られる等幅部分と、一端部の連結幅部分と、を有することを特徴とする請求項７に記載の間仕切である。
【発明の効果】
【０００６】
第一、第二、第三、第四、第五、第六、第七、又は第八発明によれば、床材の辺部に形成される立ち上り部を立ち上がらせ、壁材の折り畳み可能な部位を床材の隅部に位置させ、よって、壁材は床材の隅部で連続して配置されマジックテープ（登録商標）による接合が行われるので、高く大きな壁材が十分に自立する力を得られる。
【０００７】
第二、第三、第四、第五、第六、第七、又は第八発明によれば、さらに、壁材は、直線部において折り畳み可能な部位を有することで、コンパクトに折り畳んで倉庫などに収納できる。また、折り畳み可能な部位の上端にコの字形の断面を有する固定具を嵌合して固定をおこなうことで、折り畳めるにもかかわらず、より高い強度を有する。
【０００８】
第三、第四、第五、第六、第七、又は第八発明によれば、さらに、床材と壁材は各々、コンパクトに折り畳んだ状態で、マジックテープ（登録商標）を利用して互いに接合するので、折り畳んだ状態を強固に維持しやすく、運搬などの扱いが容易である。
第四、第五、第六、第七、又は第八発明によれば、さらに、床材や壁材は、段ボールプラスティック製であることから、丈夫で断熱効果が高く、生活しやすい。
第五、第六、第七、又は第八発明によれば、さらに、複数の完成した間仕切を隣接して容易に固定でき、複数の間仕切全体の強度をより向上できる。
第六、第七、又は第八発明によれば、さらに、壁材の水平周方向の長さを分割することで、運搬などの扱いを行う壁材の大きさを小さくでき、便利である。
第七、又は第八発明によれば、さらに、分割された壁材の寸法と構造を同じにすることで、運搬などの扱いが容易になる。
第八発明によれば、さらに、壁材は、２個を連結して１人用の床材に対応するので、分割された壁材の寸法と構造を、最大にでき、あまり小さすぎて連結作業が煩わしくなることを防止できる。
【発明を実施するための最良の形態】
【０００９】
この発明の一実施形態を、図１〜図６（Ａ）に示す。
図１において、この実施形態に係る間仕切１は、一人用であり、体育館などの大きなスペースの床部分３に設置する。体育館の床部分３にじか置きする床材５の辺部ほぼ全周に壁材７を自立させる。
床材５は、全体が長方形で、この長方形の長手方向において３箇所に、折り畳み可能な部位９Ｆを有する。これら折り畳み可能な部位９Ｆによって４枚の等幅部分１１Ｆに区切られる。
【００１０】
壁材７は、床材５の辺部ほぼ全周に、出入り口部分１３を除いて、一続きに形成され、平面形状は略コの字である。折り畳み可能な部位９Ｗは全部で１１箇所になる。すなわち、略コの字の四隅で４箇所、３箇所の直線部１５に７箇所である。直線部１５は、コの字の平行な２辺となる直線部１５Ｐに３箇所、コの字の中央の辺となる直線部１５Ｍに１箇所が存在する。これら折り畳み可能な部位９Ｗによって１０枚の等幅部分１１Ｗと２枚の入口部分１７に区切られる。
【００１１】
図２に示すように、床材５の辺部には、折り曲げ可能に立ち上り部１９が形成される。この立ち上り部１９は、壁材７が自立する部分全てに形成される。
この立ち上り部１９の外側に設けられた床側マジックテープ２１（登録商標）と、壁材７の下端部の内側に設けられた壁側マジックテープ２３（登録商標）とが、接合する。そして、床材５の９０度の角度を有する隅部２５では、壁材７が９０度連続して配置される。この隅部２５の頂部２７に、壁材７の折り畳み可能な部位９Ｗを位置させる。このようにして、床材５の隅部２５で連続して壁材７が配置され接合が行われることで、壁材７は自立する。
【００１２】
図３（Ａ）（Ｂ）に示すように、壁材７の上端に沿って、コの字形の断面を有する長い固定具２９が、配置される。コの字形の断面が、壁材７の上端に嵌合する。同図（Ｂ）に示す隅部２５では、隅部２５の９０度の角度に対応して、固定具２９が９０度に屈曲している。これにより、固定具２９は壁材７、ひいては間仕切１全体の強度を向上する。
【００１３】
図４に示すように、壁材７は、一続きに形成され、折り畳み可能な部位９Ｗは全部で１１箇所で、山折と谷折を交互に配置する。そして、壁側マジックテープ２３（登録商標）はこの折り畳みにより互いに接合する位置に雄側と雌側が配置される。この接合により、折り畳んだ状態を強固に維持する。壁側マジックテープ２３（登録商標）は、１０枚の等幅部分１１Ｗの各々で、中央と両端の３箇所に設けられる。２枚の入口部分１７には、両端の２箇所に設けられる。
【００１４】
図５に示すように、床材５は、一続きに形成され、折り畳み可能な部位９Ｆは全部で３箇所で、山折と谷折を交互に配置する。床材５の辺部には、折り曲げ可能に立ち上り部１９が形成される。この立ち上り部１９は、出入り口部分１３を除いて、壁材７が自立する部分全てに形成される。この立ち上り部１９の中央と両端の３箇所に壁側マジックテープ２３（登録商標）設けられる。
【００１５】
そして、壁側マジックテープ２３（登録商標）はこの折り畳みにより互いに接合する位置に雄側と雌側が配置される。この接合により、折り畳んだ状態を強固に維持する。
床材５と壁材７は、ともに、段ボールプラスティック製である。
図６（Ａ）に示すように、壁材７や床材５の折り畳み可能な部位９は、長い溝３１により形成される。すなわち、段ボールプラスティックが存在しない部分３３が長く設けられ、その上部を表面材３５が渡されて段ボールプラスティックに接着されることで長い溝３１が形成される。
【００１６】
「実施形態の効果」
この実施形態によれば、以下の効果を得る。
（１）図２に示すように、床材５の辺部に形成される立ち上り部１９に壁材７をマッジクテープ（登録商標）で接合するので、壁材７が倒れようとする力は、立ち上り部１９の折り曲げ可能な部分３７に加わる。マッジクテープ（登録商標）の部分３３には加わらない。この折り曲げ可能な部分３７は、あらかじめ十分な強度を持たせておくことができる。よって、マジックテープ（登録商標）によって容易に間仕切１を組み立てられるにもかかわらず、壁材７と床材５の間に十分な強度を有することができる。
【００１７】
のみならず、壁材７の折り畳み可能な部位９を、床材５の９０度の隅部２５に位置させ、よって、壁材７は床材５の隅部２５で９０度に連続して配置された状態でマジックテープ（登録商標）による接合が行われる。したがって、９０度に屈曲した壁材７自体の剛性により、壁材７は十分に自立する力を得る。
【００１８】
（２）図１、図４に示すように、壁材７は、直線部１５においても折り畳み可能な部位９Ｗを有することで、コンパクトに折り畳んで倉庫などに収納できる。また、コンパクトに折り畳んだ状態で、壁側マジックテープ２３（登録商標）を利用して互いに接合するので、折り畳んだ状態を強固に維持しやすく、運搬などの扱いが容易である。
【００１９】
（３）図１、図５に示すように、床材５は、折り畳み可能な部位９Ｆを有することで、コンパクトに折り畳んで倉庫などに収納できる。また、コンパクトに折り畳んだ状態で、床側マジックテープ２１（登録商標）を利用して互いに接合するので、折り畳んだ状態を強固に維持しやすく、運搬などの扱いが容易である。
【００２０】
（４）また、壁材７の折り畳み可能な部位９Ｆの上端に、コの字形の断面を有する固定具２９を嵌合して固定をおこなうことで、壁材７は、折り畳めるにもかかわらず、より高い強度を有する。さらに、固定具２９が、隅部２５で９０度に屈曲していることで、間仕切１の隅部２５の強度をさらに向上できる。
【００２１】
（５）床材５や壁材７は、段ボールプラスティック製であることから、丈夫で断熱効果が高く、被災者が生活しやすい。  
【００２２】
「他の実施形態」
以上の実施形態では、壁材７や床材５の折り畳み可能な部位９は図６（Ａ）に示すような長い溝３１であったが、他の実施形態では、図６（Ａ）に示すような長い切込３７により形成されものとしても良い。すなわち、段ボールプラスティックが長い切込３７により、接するものの連続しない部分３３が長く設けられ、その上部を補強テープ３９が渡されて段ボールプラスティックに接着されることで長い切込形成されるものとしてもよい。
【００２３】
以上の実施形態では、図１に示すように一人用の間仕切１が単独で組み立てられるものであったが、他の実施形態では、例えば図７に示すように、複数の完成した間仕切１を隣接し固定してもよい。この図では、二人用が一つ、一人用が二つ、四人用が一つ隣接される。隣接して重なった壁材７の上端には、コの字形の断面を有する固定具４０を嵌合して固定をおこなうこともできる。なお、図では折り畳み可能な部位９などは省略されている。
このように、複数の完成した間仕切１を隣接して容易に固定できるのみならず、複数の間仕切１全体の強度をより向上できる。
【００２４】
以上の実施形態では、図１、図４に示すように、壁材７は一つの間仕切１で一続きに形成されるものであったが、他の実施形態では、図８に示すように、壁材７の水平周方向の長さが複数７Ｐ、７Ｐ、・・に分割され、この分割部分４３がオーバーラップしてマジックテープ４１（登録商標）により連結されるものとしてもよい。分割することで、運搬などの扱いを行う壁材７の大きさを小さくでき、便利である。
【００２５】
このとき、分割された壁材７Ｐは、各々が同じ共通の寸法と構造を有し、連結されることで異なる寸法の床材５に対応することとすれば、倉庫への収納や運搬などの扱いが容易になる。
この共通の寸法と構造としては、図８に示すように、２個を連結して１人用の床材５に対応するものとすれば、多人数用の床材５に対しても過不足なく対応でき、しかも、寸法と構造を最大にでき、あまり小さすぎて連結作業が煩わしくなることを防止できる。
すなわち、分割された壁材７の寸法と構造は、Ｎを整数とし２Ｎ個を連結してＮ人用の床材５に対応するもので、水平方向に、複数の箇所の折り畳み可能な部位９Ｗで区切られる等幅部分１１Ｗと、一端部の連結幅部分４５と、を有するものとする。連結幅部分４５は、連結するのに十分な幅を有すればよく、等幅部分１１Ｗの幅よりもかなり小さくでき、コンパクト化に寄与できる。また、連結幅部分４５は入口部分１７を兼ねることができる。
【図面の簡単な説明】
【００２６】
【図１】この発明の一実施形態を示す間仕切の組み立てられた全体図を示す斜視図である。
【図２】図１の床材の隅部付近を示す組立途中の状態を示す拡大斜視図である。
【図３】図１の壁材の上端に嵌合される固定具を示す拡大斜視図である。
【図４】図１の壁材の組立前の状態を示す斜視図である。
【図５】図１の床材の組立前の状態を示す斜視図である。
【図６】（Ａ）（Ｂ）は図４や図５の壁材や床材の折り畳み可能な部位を示す断面図である。
【図７】この発明の他の実施形態を説明するため、複数の完成した間仕切を隣接し固定した状態を示す斜視図である。
【図８】この発明の他の実施形態を説明するため、壁材が分割された状態を示すもので、（Ａ）は壁材の平面図、（Ｂ）は（Ａ）の分割部分の拡大図である。
【図９】従来の間仕切の一例を示す斜視図である。
【符号の説明】
【００２７】
１…間仕切、３…床部分、５…床材、７…壁材、９…折り畳み可能な部位、１１…等幅部分、１３…口部分、１５…直線部、１７…入口部分、１９…部、２１…床側マジックテープ（登録商標）、２３…壁側マジックテープ（登録商標）、２５…隅部、２７…頂部、２９…固定具、３１…溝、３３…部分、３５…表面材、３７…切込、３９…補強テープ、４１…マジックテープ（登録商標）、４３・・分割部分、４５…連結幅部分。
【図１】
2006161536.tif 000003
【図２】
2006161536.tif 000004
【図３】
2006161536.tif 000005
【図４】
2006161536.tif 000006
【図５】
2006161536.tif 000007
【図６】
2006161536.tif 000008
【図７】
2006161536.tif 000009
【図８】
2006161536.tif 000010
【図９】
2006161536.tif 000011